(57)【要約】【課題】  建築現場における傾斜した横架材等に対しても載置した状態で確実に固定することができ、身軽に目的の小物を直ぐに取り出して作業ができる建築現場用小物携行具を提供すること。【解決手段】  前記横架材ｗを跨いでこの横架材ｗの両側方に突出する一対の支持部材２，３と、この一対の支持部材２，３の中央部の下部に前記横架材ｗの側面と所定の隙間を有する載置部５を形成してこの支持部材２，３の左右両端部に取付けた小物入れ６，７とを備え、前記支持部材２，３は、中央部に屈曲可能な連結部４を有し、前記小物入れ６，７の間を前記横架材ｗに載せてこの小物入れ６，７を前記連結部４を中心に下向きに傾けて小物入れ６，７の内側側壁が横架材ｗ側面に接した状態で前記連結部４の屈曲を制限する固定部材２２を具備させる。【選択図】  図１
2009191459.tif 000002
【特許請求の範囲】
【請求項１】
建築現場で横架材上に鞍掛け状に載置して用いる小物携行具であって、
前記横架材を跨いで該横架材の両側方に突出する一対の支持部材と、
該一対の支持部材の中央部の下部に前記横架材の側面と所定の隙間を有する載置部を形成して該支持部材の左右両端部に取付けた小物入れとを備え、
前記支持部材は、中央部に屈曲可能な連結部を有し、
前記小物入れの間を前記横架材に載せて該小物入れを前記連結部を中心に下向きに傾けて小物入れの内側側壁が横架材側面に接した状態で前記連結部の屈曲を制限する固定部を具備させたことを特徴とする建築現場用小物携行具。
【請求項２】
前記連結部における左右の支持部材間に係止部を備え、
前記固定部は、該係止部に向けて付勢部材で付勢された固定部材を有している請求項１に記載の建築現場用小物携行具。
【請求項３】
前記小物入れは、上方に向けて設けた取っ手を備え、
前記固定部は、前記小物入れの間の載置部を横架材に載せて前記取っ手を下向きに倒す動作に連動して前記係止部に前記固定部材を付勢するように構成されている請求項２に記載の建築現場用小物携行具。
【請求項４】
前記取っ手を取手案内部に沿って上向きに上げる動作に連動して前記固定部材が係止部から離れて連結部の屈曲制限を解除する固定解除機構を備えた請求項３に記載の建築現場用小物携行具。
【請求項５】
前記左右の小物入れの内側対向面に、該小物入れの間の載置部を横架材に載せた状態で、該小物入れの内側と横架材側面との間に所定の載置幅を形成する載置幅調整部を具備させた請求項１に記載の建築現場用小物携行具。
【請求項６】
前記載置幅調整部は、前記小物入れの内側側面に沿って上下動可能に構成された幅調整部材を具備し、
該幅調整部材は、前記横架材の幅寸法に応じて昇降するように構成されている請求項５に記載の建築現場用小物携行具。
【請求項７】
前記幅調整部材は、前記小物入れの内側側面に沿って下向きに付勢されている請求項６に記載の建築現場用小物携行具。
【請求項８】
前記載置幅調整部は、前記左右の小物入れの少なくとも一方に、該小物入れの内側側面と横架材側面との間に所定の載置幅を形成する間隔調整部を具備している請求項５に記載の建築現場用小物携行具。
【請求項９】
前記小物入れは内部に仕切り板を有し、該仕切り板の端部が係合する係合溝を前記小物入れに具備させた請求項１〜８のいずれか１項に記載の建築現場用小物携行具。
【発明の詳細な説明】
【技術分野】
【０００１】
本発明は、木造住宅の建築現場に小物類を入れて持ち込んで作業に使用する建築現場用小物携行具に関するものである。
【背景技術】
【０００２】
従来、木造住宅を建築する場合、建築予定地に基礎工事を行い、その基礎上に土台を作り、木造骨組みを造作していくことが行われる。この木造骨組みを造作する、いわゆる建前時には、隣接する柱間に梁や桁等の横架材を架設したり、横架材同士を結合したりする作業が頻繁に行われる。例えば、木造建築の横架材の結合部は、建前時に仕口結合部を固定用金物類を使用して固定することが広く行われている。
【０００３】
この横架材の結合部に使用する一般的な固定用金物としては、羽子板ボルトや、これに付属する座金、ナット、ボルト等がある。そして、従来は、これらの固定金物類を建築現場への持ち込んで結合作業に使用するには、作業者が腰に吊り下げた袋に入れて持ち込み、使用に際しては、袋の中に手を入れて手探り的に目的の金物を取り出して使用する手法が採られている。
【０００４】
しかし、このような固定用金物類を袋に入れ、これを作業者が腰に吊り下げた状態で建築現場に持ち込んで作業する場合、作業性の悪い横架材上で袋の中に手を入れて手探り的に目的の金物を取り出すには時間が掛かり、個々の部品を全て集めるのは難しい。そのため、通常、作業前日等に予め羽子板ボルトに座金、ナット等をセットし、その状態で袋に入れておき、取付時に袋から出した羽子板ボルトから一旦ナットと座金とを外した後、再度取付けて固定する作業が行われており、非常に手間と時間を要する作業となっている。また、袋に入れた固定用金物は、かなりの重量物となるため、これを作業者の身に付けた状態では、作業者の労力負担を大きくするばかりでなく、作業者の身体の動きを鈍くして作業能率を低下させている。
【０００５】
そこで、本出願人は、固定用金物類を含む建築現場で使用する小物を、作業者の身に付けることなく建築現場に持ち込めるようにした建築現場用小物携行具を提案した（特許文献１参照）。
【特許文献１】特許第３８５０８１５号公報
【発明の開示】
【発明が解決しようとする課題】
【０００６】
ところで、木造住宅の場合、一般的に、４寸幅と３寸５分幅の２種類の幅寸法の角材からなる横架材が広く使用されている。通常、この横架材の幅寸法は、１棟の木造住宅では同一寸法である。
【０００７】
そのため、上記特許文献１では、小物入れの内側側面の間隔を予め調整して横架材に載置することにより、作業する横架材に応じて小物入れを保持することができる小物携行具としている。しかし、この小物携行具は、傾斜した横架材等によっては保持状態の安定維持が難しい場合がある。
【０００８】
そこで、本発明は、建築現場における傾斜した横架材等に対しても載置した状態で確実に固定することができ、身軽に目的の小物を直ぐに取り出して作業ができる建築現場用小物携行具を提供することを目的とする。
【課題を解決するための手段】
【０００９】
上記目的を達成するために、本発明は、建築現場で横架材上に鞍掛け状に載置して用いる小物携行具であって、前記横架材を跨いで該横架材の両側方に突出する一対の支持部材と、該一対の支持部材の中央部の下部に前記横架材の側面と所定の隙間を有する載置部を形成して該支持部材の左右両端部に取付けた小物入れとを備え、前記支持部材は、中央部に屈曲可能な連結部を有し、前記小物入れの間を前記横架材に載せて該小物入れを前記連結部を中心に下向きに傾けて小物入れの内側側壁が横架材側面に接した状態で前記連結部の屈曲を制限する固定部を具備させている。この明細書及び特許請求の範囲の書類中における「載置部」は、左右の小物入れ間の横架材を鞍掛け状に跨ぐ部分をいう。
【００１０】
これにより、横架材の上面幅寸法より僅かに大きくなるように隙間を設けた載置部を形成して支持部材の両端部に取付けた左右の小物入れは、その小物入れの間で横架材を跨いで鞍掛状に載置することにより、左右の小物入れが前記屈曲部を支点に支持部材が中折れすることにより横架材の側面に向けて傾動して接し、その状態で小物携行具を横架材上の所定位置に載置することができる。しかも、このように小物入れの間で横架材を挟んで保持された小物携行具は、固定部で連結部の屈曲を制限するので、小物携行具を横架材の所望位置に固定した状態を安定して保つことができる。このように横架材に載置した小物携行具により、小物入れに固定用金物類を含む建築現場で使用する小物を入れて、作業者の身に付けることなく建築現場に持ち込み、その使用は、目で見て確実に目的の小物を直ぐに取り出して身軽に作業ができる。しかも、横架材に載置した状態で小物入れを確実に固定することができるので、安定した作業ができ、作業者の労力負担が少なく、作業者は身軽に作業ができてこの面からも作業能率を向上することができる。
【００１１】
また、前記連結部における左右の支持部材間に係止部を備え、前記固定部は、該係止部に向けて付勢部材で付勢された固定部材を有していてもよい。これにより、小物携行具を横架材に載置して固定することにより、付勢部材によって係止部に付勢された固定部材で固定状態が維持されて、安定して固定状態を保つことができる。
【００１２】
さらに、前記小物入れは、上方に向けて設けた取っ手を備え、前記固定部は、前記小物入れの間の載置部を横架材に載せて前記取っ手を下向きに倒す動作に連動して前記係止部に前記固定部材を付勢するように構成されていてもよい。これにより、取っ手を持って小物携行具を容易に持運ぶことができると共に、横架材に載置した状態で取っ手を下向きに倒すと固定部材で支持部材の連結部における屈曲を制限するので、簡単に小物携行具の保持状態を安定して保つことができる。
【００１３】
また、前記取っ手を取手案内部に沿って上向きに上げる動作に連動して前記固定部材が係止部から離れて連結部の屈曲制限を解除する固定解除機構を備えてもよい。これにより、取っ手を上向きに上げることで小物入れの固定状態を解除することができるので、間単に固定状態を解除して作業性良く小物携行具の位置を変更することができる。
【００１４】
さらに、前記左右の小物入れの内側対向面に、該小物入れの間の載置部を横架材に載せた状態で、該小物入れの内側と横架材側面との間に所定の載置幅を形成する載置幅調整部を具備させてもよい。この明細書及び特許請求の範囲の書類中における「載置幅」は、左右の小物入れ間の横架材を鞍掛け状に跨ぐ部分の幅をいう。これにより、横架材の幅寸法に応じて横架材幅調整部の内側又は小物入れの内側側面で横架材を挟んで保持することができ、横架材の幅寸法が異なる建築現場においても同様の携帯で使用することができる。
【００１５】
また、前記載置幅調整部は、前記小物入れの内側側面に沿って上下動可能に構成された幅調整部材を具備し、該幅調整部材は、前記横架材の幅寸法に応じて昇降するように構成されていてもよい。これにより、建築現場によって異なる横架材の幅寸法に応じて、小物入れ間の内側寸法又は幅調整部材間の内側寸法を利用して小物携行具を横架材に鞍掛状に載置すれば確実に固定できるので、横架材の幅寸法が異なっても安定した載置状態を保つことができる。
【００１６】
さらに、前記幅調整部材は、前記小物入れの内側側面に沿って下向きに付勢されていてもよい。これにより、小物携行具を横架材から外すと必ず幅調整部材が最下位置に戻るので、新たに横架材に載置するときに常に適した小物入れ間の寸法に幅調整ができる。
【００１７】
また、前記載置幅調整部は、前記左右の小物入れの少なくとも一方に、該小物入れの内側側面と横架材側面との間に所定の載置幅を形成する間隔調整部を具備していてもよい。これにより、小物携行具を幅寸法の異なる横架材に掛けるときに、予め間隔調整部で載置部の小物入れ間載置幅寸法を建築現場の横架材に幅寸法に適した幅寸法にしておけば、小物携行具の位置変更時や移動時にも横架材上に載置して安定して固定することができ、効率の良い作業を行うことができる。
【００１８】
さらに、前記小物入れは内部に仕切り板を有し、該仕切り板の端部が係合する係合溝を前記小物入れに具備させてもよい。これにより、小物入れ内に収容する小物を安定して種類毎に分けた状態を保つことができ、持運ぶ時にも分類した状態を安定して保って作業効率良く小物類を取り出して作業することができる。
【発明の効果】
【００１９】
本発明は、以上説明したような手段により、建築現場において作業者が作業を行う横架材上に小物入れを確実に固定することができるので、小物入れ内の金物類を含む小物を目で見て確実に目的の小物を直ぐに取り出して作業ができ、安定した作業を効率良く行うことが可能となる。
【発明を実施するための最良の形態】
【００２０】
以下、本発明の一実施の形態を図面に基づいて説明する。図１は、本発明に係る建築現場用小物携行具の一実施の形態を示す全体斜視図であり、図２は、図１に示す建築現場用小物携行具の使用状態を示す図面で、(a) は載置した時の正面図、(b) は載置して固定した状態の正面図である。図３は、図２に示す建築現場用小物携行具の固定部を示す拡大正面図である。なお、この明細書及び特許請求の範囲の書類中では、図１に示す小物携行具１を矢印ｘ方向から見た状態を正面と規定し、方向の概念はｘ方向から見たときの方向の概念と一致するものとする。
【００２１】
図１，２に示すように、この建築現場用小物携行具１は、中央部の屈曲可能な連結部４で連結された左右の支持部材２，３が前後位置に配設され、この一対の支持部材２，３の中央下部に横架材ｗと所定の隙間ｖ（図５参照）を設けた状態で入り込む載置部５を形成するように、前後位置の支持部材２，３の両端部に小物入れ６，７がそれぞれ取付けられている。この実施の形態の支持部材２，３は、断面Ｌ字状型材が使用されており、その直交する２つの板部２ａ，２ｂ,３ａ，３ｂを水平位と垂直位にした状態で，上記左右の小物入れ６，７の間の支持部材２，３の中央下部に横架材ｗが入り込む載置部５を形成し、この小物入れ６，７の短辺側の上端鍔部６ａ,７ａの下部が上記支持部材２，３の垂直板部２ｂ,３ｂに取付けられている。
【００２２】
図示するように、左側の支持部材２は垂直板部２ｂが高く形成され、右側の支持部材３は垂直板部３ｂが低く形成されており、右側の低い垂直板部３ｂの端部を適宜の長さで左側の高い垂直板部２ｂに重ね合わせ、両水平板部２ａ，３ａ間に係止部８を形成した状態でこれらの垂直板部２ｂ，３ｂが枢支ピン９で屈曲可能に連結されている。この枢支ピン９で連結された部分が上記連結部４である。なお、上記小物入れ６，７としては、プラスチック成型品が使用されており、この実施の形態では平面視で長方形状の箱形に形成されたものが採用されている。
【００２３】
また、支持部材２，３には、下端が支持部材２，３に支持軸１０で回動可能に取付けられた取っ手１１，１２が上向きに設けられている。これらの取っ手１１，１２は、薄板材をコ状に曲げて形成されたものであり、図示する左側の取っ手１１には長手方向に取手案内溝１３が設けられ、図示する右側の取っ手１２には上部に案内軸１４が設けられている。図示する右側の取っ手１２が左側の取っ手１１の内側に挿入され、取っ手１２の案内軸１４が取っ手１１の案内溝１３に沿って移動可能なように取付けられている。この案内軸１４を案内溝１３に沿って移動させると、図２(a) に示す状態と、図２(b) に示す状態とになる。
【００２４】
この実施の形態の小物携行具１は、両小物入れ６，７から上方に向けて設けられた取っ手１１，１２が案内軸１４と案内溝１３とで係合しており、案内軸１４を案内溝１３の上端に位置させた状態では、両方の取っ手１１，１２の上端を持って小物携行具１を持ち歩くことができる。
【００２５】
そして、図３に示すように、上記支持部材３の上部には、支持部材２，３の連結部４の屈曲を制限する固定部２１が設けられている。この実施の形態の固定部２１は、支持部材２の水平板部２ａと支持部材３の水平板部３ａとの間の係止部８に斜面に形成された先端２２ａが入り込んでこれらの屈曲を制限する固定部材２２と、上記取っ手１２を下向きに倒す動作に連動してこの固定部材２２を係止部８に向けて移動させるスライド機構２３と、取っ手１２を上向きに立てる動作に連動してこの固定部材２２を係止部８から離す固定解除機構２４とを備えている。
【００２６】
この実施の形態では、上記固定部材２２を支持部材３の水平板部３ａの上面に設け、この水平板部３ａの長手方向に設けられた２つの案内溝２５（長穴）に沿ってスライドする２本の案内ピン２６，２７が固定部材２２の下面から下向きに突出するように設けられている。これにより、案内ピン２６，２７が案内溝２５に沿ってスライドし、固定部材２２を支持部材３の水平板部３ａの上面に沿って左右方向にスライドさせるようにしている。この固定部材２２は、右側の前後に設けられた支持部材３にそれぞれ備えられている。
【００２７】
また、上記案内ピン２６には、一端が支持部材３に固定されて、案内ピン２６を連結部４側に付勢する付勢部材たる引張バネ２８が取付けられている。従って、この引張バネ２８により、案内ピン２６を介して固定部材２２の下向きに傾斜した先端２２ａが常に係止部８に向けて付勢されて楔状に係合している。この例では、付勢部材に引張バネ２８を用いているが、この付勢部材は圧縮バネや他の手段であってもよい。
【００２８】
一方、上記固定部材２２の外側端部には、固定部材２２から前後方向（取っ手側）に突出する係合爪３１が設けられている。そして、この係合爪３１が設けられた支持部材３側の取っ手１２（図示する右側）には、この取っ手１２の傾倒角度によって係合爪３１と係合して固定部材２２を反連結部側にスライドさせる固定解除部材３２が設けられている。この固定解除部材３２は取っ手１２の外側側面に設けられており、係合爪３１に向けて開いたＶ状の係止部３２ａを備えている。この固定解除部材３２の係止部３２ａをが係合爪３１と係合し、この係合爪３１を介して上記固定部材２２を引張バネ２８の付勢力に抗して反連結部側に移動させることにより、固定部材２２を係止部８に係止させた支持部材２，３の固定が解除されるようになっている。図２(b) が固定部材２２によって固定された状態を示し、図２(a) が固定部材２２による固定が解除された状態を示している。この実施の形態では、この固定解除部材３２と係合爪３１とで固定解除機構が構成されている。
【００２９】
また、上記実施の形態のように、支持部材２，３に断面Ｌ状型材を使用し、その水平板部２ａ，３ａを水平位にして使用することにより、小物携行具１を横架材ｗ上に載置すると垂直板部２ｂ,３ｂの下端縁が横架材ｗの上面に接した状態で保持されるので、この支持部材２，３と小物入れ６，７の上端とによって形成される空所に角皿状小物入れ３３（二点鎖線）を置いて、他の小物類を分けて作業するようにできる。
【００３０】
図４は、図１に示す建築現場用小物携行具における載置幅調整部を示す図面であり、(a) は固定式載置幅調整部を示す側面図、(b) は可動式載置幅調整部を示す側面図、(c) は可動式載置幅調整部の他の例を示す側面図である。
【００３１】
上記小物携行具１が載置される横架材ｗは、通常、木造住宅の設計時に上述した２種類の幅寸法の角材が採用される。そのため、小物入れ６，７の間に載置幅調整部（下記、４１，４３，４７）を備えさせることにより、寸法が異なる横架材ｗの幅寸法に対応した載置幅（図５に示す、横架材ｗの幅寸法と隙間ｖを合わせた幅寸法）にできるようにしている。
【００３２】
図４(a) に示す固定式載置幅調整部４１は、小物入れ６，７の内側に向けて所定の突出量で固定されたものであり、小物入れ６，７の重心位置よりも上部で横架材ｗに支持されるような位置に設けられている。図示する例は、断面がＬ型の幅調整部材４２を小物入れ６，７の内側長手方向に設けたものである。この幅調整部材４２の断面形状は、特に限定されるものではない。また、所定の突出量としては、上記した横架材ｗの幅寸法の差分（４寸と３寸５分幅の差分）を左右に分けた寸法となっている。
【００３３】
図４(b) に示す可動式載置幅調整部４３は、小物入れ６，７の内側に所定の突起量で上下方向に移動可能なように設けられたものであり、小物入れ６，７の重心位置よりも上部で横架材ｗに支持されるような位置に設けられている。図示する例は、断面がＬ型の幅調整部材４４を小物入れ６，７の内側長手方向に設け、この幅調整部材４４の上下方向に設けた案内溝４５を小物入れ６，７から側方に突設させた案内ピン４６に沿って移動可能としたものである。これにより幅調整部材４４は案内溝４５の長さ分で上下方向に移動可能となっている。
【００３４】
図４(c) に示す可動式載置幅調整部４７は、図４(b) に示す上記幅調整部材４４を常に下向きに付勢するようにしたものである。図示する例は、断面がＬ型の幅調整部材４４を小物入れ６，７の内側長手方向に設け、この幅調整部材４４の上下方向に設けた案内溝４５を小物入れ６，７から側方に突設させた案内ピン４６に沿って移動可能とすると共に、この幅調整部材４４と小物入れ６，７との間に圧縮バネ４８を設けて常に下向きに幅調整部材４４を付勢するようにしたものである。これにより、幅調整部材４４は常に下向きに付勢された状態から圧縮バネ４８に抗して案内溝４５の長さ文で上下方向に移動可能となっている。
【００３５】
図５は、図４に示す載置幅調整部の作用を示す図面であり、(a) は固定式載置幅調整部による作用を示す正面図、(b) は可動式載置幅調整部による作用を示す正面図である。
【００３６】
図５(a) に示すように、上記固定式載置幅調整部４１の場合、横架材ｗが広い幅寸法（一点鎖線）の場合には、幅調整部材４２の下面が横架材ｗの上面に当接し、その状態で左右位置の小物入れ６，７が内向きに傾いて横架材ｗの側面を挟んだ状態で載置される。
【００３７】
一方、横架材ｗが狭い幅寸法（二点鎖線）の場合には、幅調整部材４２の内幅の方が広くなり、横架材ｗは幅調整部材４２の間に入って支持部材２，３の下端に当接するまで入り込む。この場合は、横架材ｗが支持部材２，３の下端に当接した状態で左右の小物入れ６，７が内向きに傾いて、幅調整部材４２で横架材ｗの側面を挟んだ状態で載置される。
【００３８】
このように、固定式載置幅調整部４１を備えさせた場合、小物携行具１は横架材ｗの幅寸法に応じて幅調整部材４２の下面又は内端が横架材ｗに当接した状態で載置される。
【００３９】
また、図５(b) に示す可動式載置幅調整部４３の場合、横架材ｗが広い幅寸法ｗ１（一点鎖線）の場合には、幅調整部材４４の下面が横架材ｗの上面に当接した後、幅調整部材４４が案内溝４５の長さ分で上向きに移動し、上端に達したら、その状態で左右位置の小物入れ６，７が内向きに傾いて横架材ｗの側面を挟んだ状態で載置される。
【００４０】
一方、横架材ｗが狭い幅寸法ｗ２（二点鎖線）の場合には、幅調整部材４４の内幅の方が広くなり、横架材ｗは幅調整部材４４の間に入って支持部材２，３の下端に当接するまで入り込む。この場合は、横架材ｗが支持部材２，３の下端に当接した状態で左右の小物入れ６，７が内向きに傾いて横架材ｗを挟んだ状態で載置される。
【００４１】
このように、可動式載置幅調整部４３を備えさせた場合、横架材ｗの幅寸法に応じて幅調整部材４４が上下動し、下面又は内端が横架材ｗに当接した状態で載置される。
【００４２】
また、上記図４(c) に示す可動式載置幅調整部４７の場合には、広い幅寸法ｗ１の横架材ｗに小物携行具１を載置する時には、圧縮バネ４８が圧縮されて幅調整部材４４は上端に位置した状態で載置され、小物携行具１を持上げると、圧縮バネ４８が延びて幅調整部材４４を下端位置に戻すことができる。このような載置幅調整部は使用条件等に応じて適宜決定すればよい。
【００４３】
図６は、本発明に係る建築現場用小物携行具における載置幅調整部の他の例を示す図面であり、(a) は平面図、(b) は側面図、(c) は調整時の側面図である。この例の載置幅調整部５１は、上記小物入れ６，７の間に設けられた幅調整部材４２，４４に代えて一方の小物入れ６，７を幅方向に位置調整可能としたものであり、この例の載置幅調整部５１は、上記固定部材２２が設けられた小物入れ７と反対側の小物入れ６を支持部材２に対して幅方向にスライドさせるようにして、横架材ｗの幅寸法に適した小物入れ６，７間の載置幅に調整できるようにしたものである。
【００４４】
図６(a),(b) に示すように、小物入れ６の上端鍔部６ａが支持部材２の上面まで延設され、この上端鍔部６ａに幅調整溝５２が設けられ、この幅調整溝５２と係合するピン５３が支持部材２に設けられている。また、支持部材２の水平板部２ａには所定の調整間隔ｓで２つの固定穴５４，５５が設けられ、上端鍔部６ａに設けられた固定穴５６とを固定ネジ５７で固定する穴を選択することにより、小物入れ６，７を幅方向に調整間隔ｓで移動させて載置幅を調整できるようにしている。この調整間隔ｓは、横架材ｗの幅寸法の差分（例えば、４寸幅と３寸５分幅との差分）である。このように、小物入れ６の上端鍔部６ａと支持部材２との間で載置幅が調整できるようにしている。
【００４５】
これにより、固定ネジ５７を取外して小物入れ６を幅方向にスライドさせ、調整間隔ｓで設けられた固定穴５５と固定穴５６とを固定ネジ５７で固定することにより、この小物入れ６，７を幅方向に横架材ｗの幅寸法の差分（４寸幅と３寸５分幅との差分）で移動させることができる。
【００４６】
従って、小物携行具１を使用する２種類の幅寸法の横架材ｗに応じて、この横架材ｗが入り込む載置幅を幅広又は幅狭に変更することができ、幅広又は幅狭の横架材ｗに適した小物入れ６，７間の寸法とした小物携行具１とすることができる。
【００４７】
図７は、本発明に係る建築現場用小物携行具における中仕切り板の一例を示す図面であり、(a) は平面図、(b) は一部断面した側面図である。
図１に示す小物入れ７は、内部に中仕切り板６１が設けられており、数種類の小物を分けて収納することができるようになっている。この中仕切り板６１は、小物入れ７内を複数の区画に分けている。また、この中仕切り板６１は、小物入れ７の上端部分に設けられた係合溝７ｂと、内面下部分に設けられた係止突起部７ｃとによって位置決めがなされている。
【００４８】
以上のような小物携行具１によれば、図２(a) に示すように、左右の小物入れ６，７の上部に設けられた取っ手１１，１２の上部を持ち、その状態で吊り下げて建築現場に持ち込み、横架材ｗ上で左右の小物入れ６，７間の載置部５に横架材ｗを入るように降ろすと、横架材ｗ上に小物携行具１を鞍掛け状に載置することができる。この載置により、支持部材２に掛かる重みで枢支ピン９で連結された２分割構成の支持部材２は、枢支ピン９を支点に中折れして両端部が下向きに傾き、左右の小物入れ６，７の内側側面が横架材ｗの側面に接して安定した状態で載置される。
【００４９】
そして、図２(b) に示すように、取っ手１１，１２を下向きに倒すことにより、固定部材２２が支持部材２，３の連結部４における係止部８に向けて付勢され、この固定部材２２の傾斜した先端２２ａが支持部材２，３の水平板部２ａ，３ａの間に入って支持部材２，３の連結部４が屈曲しないように固定される。これにより、小物入れ６，７は載置した位置で固定される。このように固定部材２２で支持部材２，３の屈曲を制限することにより、例えば、傾斜した横架材ｗに小物携行具１を載置して使用する場合等でも、作業に必要な金物ｚを小物入れ６，７から順番に取り出して行う作業は安定して能率よく行うことができる。
【００５０】
つまり、木造住宅の建築現場での作業に必要な小物、例えば、図１に示すように、横架材ｗの結合部に使用される羽子板ボルトや、これに付属する座金、ナット、ボルト等の金物を小物入れ６，７に分けた状態で入れて建築現場に持ち込み、小物携行具１を作業が行われる横架材ｗ上に鞍掛け状に載置して取っ手１１，１２を下向きに倒すことだけで、横架材ｗの両側に小物入れ６，７を配設した状態で位置を固定できるので、小物入れ６，７が上向きに外れないように確実に固定した状態で中を目で見て作業に必要な目的の小物を順番に取り出して横架材ｗの結合作業等を作業能率良く行うことができ、作業性を大幅に向上させることができる。
【００５１】
また、作業が進行して、たとえ、左右の小物入れ６，７に入れてあった金物の使われ方が偏り、左右の小物入れ６，７の重量バランスが崩れるようなことがあっても、左右の小物入れ６，７は、その内側側壁の下部が横架材ｗの側面に接しているので転倒するようなことはない。また、作業者の意に反して小物携行具が横架材ｗ上を移動したり、不安定になることもない。
【００５２】
さらに、従来のように、横架材ｗの結合部に使用される固定用金物類を袋に入れて作業者がこれを腰に吊り下げた状態で建築現場に持ち込んで作業するような場合に比べ、予め組立てて持ち込む必要もなくなって作業者の労力負担を大幅に軽減することができ、しかも身軽に作業ができるので、この面からも作業能率を格段に向上させることができる。
【００５３】
その上、小物携行具１の位置を変更する場合でも、取っ手１１，１２を立てることにより、固定解除部材３２の係止部３２ａが係合爪３１に係合して固定部材２２を引張バネ２８の付勢力に抗して反連結部側にスライドさせて、この固定部材２２による支持部材２，３の連結部４の固定を解除することができるので、立てた両取っ手１１，１２を持って持上げれば支持部材２，３が連結部４で上向きに屈曲して、左右位置の小物入れ６，７を横架材ｗから離して容易に持上げることができる。
【００５４】
このように持上げた小物携行具１は、他の作業位置に持っていてその横架材ｗ上に鞍掛け状に載置すると、上記したように、小物入れ６，７は自重で連結部４を中心に下向きに屈曲し、その小物入れ６，７の内側側面が横架材ｗの側面に接した状態で載置される。そして、取っ手１１，１２を下向きに倒せば、上記したように、固定部材２２の先端２２ａが支持部材２，３の係止部８に係合し、支持部材２，３の連結部４における屈曲を制限して固定する。
【００５５】
なお、上記実施の形態では、取っ手１１，１２の傾倒によって支持部材２，３の連結部４が屈曲しないようにしているが、他の手段によって支持部材２，３の連結部４が屈曲しないようにしてもよく、上記実施の形態に限定されるものではない。
【００５６】
また，上記実施の形態では、平面視が長方形状の小物入れ６，７を例にしているが、この小物入れ６，７は、取り扱われる金物の種類等によって比較的浅くした形状や、平面視が正方形状等、他の形状であってもよく、上記実施の形態に限定されるものではない。
【００５７】
さらに、上記実施の形態の小物携行具１は、例えば、各構成を合成樹脂の成型によって形成されるが、複数の構成を一体成型したり、アルミニウム材等の軽金属等で製作してもよく、材質等は限定されるものではない。
【００５８】
また、前述した実施の形態は一例を示しており、本発明の要旨を損なわない範囲での種々の変更は可能であり、本発明は前述した実施の形態に限定されるものではない。
【産業上の利用可能性】
【００５９】
本発明に係る建築現場用小物携行具は、一般的な木造住宅の建築現場において、締結具等の小物類を整理して迅速に取り出すのに有用であり、特に連結部の多い建築現場での使用に好適である。
【図面の簡単な説明】
【００６０】
【図１】本発明に係る建築現場用小物携行具の一実施の形態を示す全体斜視図である。
【図２】図１に示す建築現場用小物携行具の使用状態を示す図面であり、(a) は載置した時の正面図、(b) は載置して固定した状態の正面図である。
【図３】図２に示す建築現場用小物携行具の固定部を示す拡大正面図である。
【図４】図１に示す建築現場用小物携行具における載置幅調整部を示す図面であり、(a) は固定式載置幅調整部を示す側面図、(b) は可動式載置幅調整部を示す側面図、(c) は可動式載置幅調整部の他の例を示す側面図である。
【図５】図４に示す載置幅調整部の作用を示す図面であり、(a) は固定式載置幅調整部による作用を示す正面図、(b) は可動式載置幅調整部による作用を示す正面図である。
【図６】本発明に係る建築現場用小物携行具における載置幅調整部の他の例を示す図面であり、(a) は平面図、(b) は側面図、(c) は調整時の側面図である。
【図７】本発明に係る建築現場用小物携行具における中仕切り板の一例を示す図面であり、(a) は平面図、(b) は一部断面した側面図である。
【符号の説明】
【００６１】
１  小物携行具
２  支持部材
２ａ  水平板部
２ｂ  垂直板部
３  支持部材
３ａ  水平板部
３ｂ  垂直板部
４  連結部
５  載置部
６，７  小物入れ
８  係止部
９  枢支ピン
１１，１２  取っ手
２１  固定部
２２  固定部材
２３  スライド機構
２４  固定解除機構
３１  係合爪
３２  固定解除部材
４１  固定式載置幅調整部
４３，４７  可動式載置幅調整部
５１  載置幅調整部
６１  中仕切り板
ｗ  横架材
ｚ  金物
【図１】
2009191459.tif 000003
【図２】
2009191459.tif 000004
【図３】
2009191459.tif 000005
【図４】
2009191459.tif 000006
【図５】
2009191459.tif 000007
【図６】
2009191459.tif 000008
【図７】
2009191459.tif 000009